(57)【要約】【課題】露光ムラの発生を防止したシャッタ装置およびこれを搭載した撮影装置を提供する。【解決手段】撮影光を遮光する位置と遮光しない位置との間で移動可能な遮光部４２，４４と、前記遮光部に連結され、当該遮光部を移動させる主アーム３２，３６と、前記遮光部に接続され、前記遮光部の移動に伴ってアーム回動軸５４，５８を中心として回動する従アーム３４，３８と、前記回動の際に、前記アーム回動軸に対して前記従アームが傾くことを防止する防止部材７４，７８とを有するシャッタ装置。【選択図】図５
2010091619.tif 000002
【特許請求の範囲】
【請求項１】
撮影光を遮光する位置と遮光しない位置との間で移動可能な遮光部と、
前記遮光部に連結され、当該遮光部を移動させる主アームと、
前記遮光部に連結され、前記遮光部の移動に伴ってアーム回動軸を中心として回動する従アームと、
前記回動の際に、前記アーム回動軸に対して前記従アームが傾くことを防止する防止部材とを有するシャッタ装置。
【請求項２】
前記従アームは、前記アーム回動軸を挿通させる孔部を有し、
前記防止部材は、前記孔部に固定されていることを特徴とする請求項１に記載のシャッタ装置。
【請求項３】
前記防止部材は、前記アーム回動軸を挿通させ、前記孔部を挿通する円筒部を有することを特徴とする請求項２に記載のシャッタ装置。
【請求項４】
前記防止部材は、前記孔部の縁をかしめる固定部を有することを特徴とする請求項３に記載のシャッタ装置。
【請求項５】
前記防止部材は、前記アーム回動軸の周面の少なくとも一部を被覆することを特徴とする請求項１から請求項４のいずれかに記載のシャッタ装置。
【請求項６】
前記アーム回動軸に沿った方向における前記防止部材の長さは、前記アーム回動軸に沿った方向における前記従アームの長さより大きいことを特徴とする請求項１から５のいずれかに記載のシャッタ装置。
【請求項７】
前記アーム回動軸に沿った方向における前記従アームの移動を制限する制限部を有することを特徴とする請求項１から６のいずれかに記載のシャッタ装置。
【請求項８】
請求項１から請求項７のいずれかに記載のシャッタ装置を備える撮影装置。
【発明の詳細な説明】
【技術分野】
【０００１】
本発明は、シャッタ装置および撮影装置に関し、より詳細には、露光ムラの発生を抑制したシャッタ装置および撮影装置に関する。
【背景技術】
【０００２】
カメラ等の撮影装置に搭載されるシャッタ装置としては、シャッタ羽根の一方端側と基板とを、複数のアームによって連結した構造を有するものが知られている。このようなシャッタ装置では、シャッタ羽根を移動させる際に、各部品の連結部に存在するわずかな隙間（ガタ）によってシャッタ羽根が振動し、露光ムラが発生するという問題が発生していた。
【０００３】
シャッタ羽根の振動による露光ムラを抑制するための従来技術としては、例えば中間板が肉厚部を有しているシャッタ装置が知られている（例えば特許文献１参照）。しかしながら、従来技術では、例えばシャッタ羽根が移動を開始する直後のように、シャッタ羽根に連結されたアームに対して急激に力が加わる時に、アームが振動する場合がある。したがって、従来技術に係るシャッタ装置は、アームの振動がシャッタ羽根に伝わることによって、露光ムラが発生するという問題を有していた。
【特許文献１】特開平９−１２７５７５号公報
【発明の開示】
【発明が解決しようとする課題】
【０００４】
本発明は、このような実情に鑑みてなされ、その目的は、露光ムラの発生を抑制したシャッタ装置およびこれを搭載した撮影装置を提供することである。
【課題を解決するための手段】
【０００５】
上記課題を解決するために、本発明に係るシャッタ装置は、
撮影光を遮光する位置と遮光しない位置との間で移動可能な遮光部（４２ａ〜４２ｄ，４４ａ〜４４ｄ）と、
前記遮光部に連結され、当該遮光部を移動させる主アーム（３２，３６）と、
前記遮光部に接続され、前記遮光部の移動に伴ってアーム回動軸（５４，５８）を中心として回動する従アーム（３４，３８）と、
前記回動の際に、前記アーム回動軸に対して前記従アームが傾くことを防止する防止部材（７４，７８）とを有する。
【０００６】
また、例えば、前記従アームは、前記アーム回動軸を挿通させる孔部（３４ａ，３８ａ）を有し、
前記防止部材は、前記孔部に固定されてもよい。
【０００７】
また、例えば、前記防止部材は、前記アーム回動軸を挿通させ、前記孔部を挿通する円筒部（７４ｂ，７８ｂ）を有してもよい。
【０００８】
また、例えば、前記防止部材は、前記孔部の縁をかしめる固定部（７４ｃ，７８ｃ）を有してもよい。
【０００９】
また、例えば、前記防止部材は、前記アーム回動軸の周面の少なくとも一部を被覆してもよい。
【００１０】
また、例えば、前記アーム回動軸に沿った方向における前記防止部材の長さ（Ｌ１，Ｌ３）は、前記アーム回動軸に沿った方向における前記従アームの長さ（Ｌ２，Ｌ４）より大きくてもよい。
【００１１】
また、例えば、本発明に係るシャッタ装置は、前記アーム回動軸に沿った方向における前記従アームの移動を制限する制限部（９４ａ，９４ｂ，９８ａ，９８ｂ）を有してもよい。
【００１２】
本発明に係る撮影装置は、上記いずれかに記載のシャッタ装置を備える。
【００１３】
なお上述の説明では、本発明をわかりやすく説明するために実施形態を示す図面の符号に対応づけて説明したが、本発明は、これに限定されるものでない。後述の実施形態の構成を適宜改良してもよく、また、少なくとも一部を他の構成物に代替させてもよい。さらに、その配置について特に限定のない構成要件は、実施形態で開示した配置に限らず、その機能を達成できる位置に配置することができる。
【発明を実施するための最良の形態】
【００１４】
以下、本発明を、図面に示す実施形態に基づき説明する。
図１は、本発明の一実施形態にかかるフォーカルプレーンシャッタを搭載したカメラの概略断面図、
図２は、本発明の一実施形態に係るフォーカルプレーンシャッタにおけるシャッタ羽根およびアーム等を示す平面図、
図３は、本発明の一実施形態に係るフォーカルプレーンシャッタにおける駆動部を示す平面図、
図４は、図２に示すフォーカルプレーンシャッタにおける後幕の動きを表した模式図、
図５は、図２に示すフォーカルプレーンシャッタにおけるアームの回転孔部分を拡大した要部斜視図、
図６は、図５に示す第２アームの回動軸部分の拡大断面図、
図７は、図５に示す第４アームの回動軸部分の拡大断面図である。
第１実施形態
【００１５】
図１は、本発明の一実施形態に係るフォーカルプレーンシャッタ２０が搭載された一眼レフカメラ２を示したものである。カメラボディ４の筐体６には開口部８が形成されており、開口部８の周辺にはレンズマウント１０が形成されている。レンズマウント１０には、レンズ鏡筒１１が設置されており、筐体６の開口部８は、レンズ鏡筒１１によって覆われている。レンズ鏡筒１１には、撮影レンズ群９が備えられており、撮影レンズ群９は、筐体６の内部に撮影光を導入する。
【００１６】
筐体６の内部には、クイックリターンミラー１２、ファインダスクリーン１４、ペンタプリズム１６、接眼レンズ１８、フォーカルプレーンシャッタ２０、光学ローパスフィルタ２２および記録媒体３０等が具備されている。撮影の際には、クイックリターンミラー１２がはねあがることにより撮影光の光路上から退避し、さらに、フォーカルプレーンシャッタ２０が開くことによって、撮影光が記録媒体３０上に導かれる。なお、本実施形態の一眼レフカメラは、記録媒体３０として撮像素子を使用したデジタルカメラであるが、本願発明はこれに限られず、フィルム式カメラであっても良い。また、クイックリターンミラー１２を省略したカメラや、レンズ鏡筒１１と一体成形されたカメラでもよい。なお、実施形態では、撮影時の撮影光の進行方向をＺ軸の正方向、図２に示すフォーカルプレーンシャッタ２０の露光時における移動方向をＹ軸の負方向、Ｙ軸およびＺ軸と直交する方向をＸ軸方向として説明を行う。
【００１７】
図２は、図１のカメラに搭載されたフォーカルプレーンシャッタ２０におけるシャッタ羽根およびアーム等を示す概略平面図である。フォーカルプレーンシャッタ２０は、先幕４２と後幕４４とを有する。先幕４２および後幕４４は、シャッタ開口６０ａが形成された基板６０等に対して開閉自在に配置されている。
【００１８】
すなわち、先幕４２および後幕４４は、基板６０を通過する撮影光を、遮光する位置と遮光しない位置との間で移動可能である。図２に示す露光動作前の状態では、先幕４２は、シャッタ開口６０ａを遮蔽し、撮影光を遮光するように展開している。それに対して、後幕４４は、シャッタ開口６０ａに対してＹ軸正方向側の位置に退避されており、撮影光を遮光しないように折り畳まれている。
【００１９】
先幕４２は、４枚のシャッタ羽根４２ａ〜４２ｄによって構成されている。各シャッタ羽根４２ａ〜４２ｄの一方の端部（Ｘ軸負方向側の端部）には、第１アーム３２および第２アーム３４が連結されている。先幕４２を構成する各シャッタ羽根４２ａ〜４２ｄと、第１アーム３２および第２アーム３４とは、羽根ダボを介して、回動自在に連結されている。
【００２０】
第１アーム３２は、第１アーム回転孔３２ａと、第１アーム駆動軸孔３２ｂとを有している。第１アーム３２の第１アーム回転孔３２ａは、基板６０に固定されている第１アーム回動軸５２に挿通されており、第１アーム３２は、第１アーム回動軸５２を中心として、回動することができる。
【００２１】
第１アーム３２の第１アーム駆動軸孔３２ｂには、第１アーム駆動軸６３が連結されている。第１アーム３２は、第１アーム駆動軸６３からの駆動力を先幕４２に伝達することによって、先幕４２を駆動することができる。したがって、第１アーム３２は、先幕４２と第１および第２アーム３２，３４とで構成されるリンク機構において、先幕４２および第２アーム３４を移動させる主アームに相当する。
【００２２】
第２アーム３４は、第２アーム回転孔３４ａを有している。第２アーム回転孔３４ａは、基板６０に固定されている第２アーム回動軸５４に挿通されている。第２アーム３４は、先幕４２の移動に伴って第２アーム回動軸５４を中心として回動する。すなわち、第２アーム３４は、先幕４２と第１および第２アーム３２，３４とで構成されるリンク機構において、先幕４２から駆動力を伝達され、先幕４２の移動に伴って回動する従アームに相当する。
【００２３】
後幕４４も、先幕４２と同様に、４枚のシャッタ羽根４４ａ〜４４ｄによって構成されている。各シャッタ羽根４４ａ〜４４ｄの一方の端部（Ｘ軸負方向側の端部）には、第３アーム３６および第４アーム３８が連結されている。後幕４４を構成する各シャッタ羽根４４ａ〜４４ｄと、第３アーム３６および第４アーム３８とは、羽根ダボを介して、回動自在に連結されている。
【００２４】
第３アーム３６は、基板６０に固定されている第３アーム回動軸５６に挿通されている第３アーム回転孔３６ａを有しており、第３アーム回動軸５６を中心として、回動することができる。また、第３アーム３６は、第３アーム駆動軸６７と連結されている第３アーム駆動軸孔３６ｂを有しており、第３アーム駆動軸６７からの駆動力を後幕４４に伝達することによって、後幕４４を駆動することができる。したがって、第３アーム３６は、後幕４４と第３アーム３６および第４アーム３８とで構成されるリンク機構において、後幕４４および第４アーム３８を移動させる主アームに相当する。
【００２５】
第４アーム３８は、基板６０に固定されている第４アーム回動軸５８に挿通されている第４アーム回転孔３８ａを有しており、第４アーム回動軸５８を中心として、回動する。すなわち、第４アーム３８は、後幕４４と第３アーム３６および第４アーム３８とで構成されるリンク機構において、後幕４４から駆動力を伝達され、後幕４４の移動に伴って回動する従アームに相当する。
【００２６】
図３は、図１に示すフォーカルプレーンシャッタ２０の駆動部を示す平面図である。本実施形態において、フォーカルプレーンシャッタ２０の駆動部は、基板６０を挟んで、先幕４２および後幕４４等に対して、反対側に配置されている。すなわち、基板６０のＺ軸正方向側に、図２に示す先幕４２および後幕４４等が配置され、基板６０のＺ軸負方向側に、図３に示す駆動部が配置されている。
【００２７】
図３に示すように、基板６０には、先幕駆動軸ガイド孔６０ｂと、後幕駆動軸ガイド孔６０ｃとが形成されている。後幕駆動軸ガイド孔６０ｃの周辺には、後幕駆動レバー６６と後幕係止レバー６８が配置されている。
【００２８】
後幕駆動レバー６６は、駆動力発生部６６ａからの駆動力を受けて、レバー取付軸６６ｂを中心に回動することができる。後幕駆動レバー６６の端部には、第３アーム駆動軸６７が連結されており、第３アーム駆動軸６７は、後幕駆動レバー６６の回動に伴って、後幕駆動軸ガイド孔６０ｃに沿って移動する。
【００２９】
後幕係止レバー６８は、後幕駆動レバー６６を係止し、あるいは、後幕駆動レバー６６の係止を解除することができる。後幕係止レバー６８は、駆動力発生部６８ａからの駆動力を受けて、レバー取付軸６８ｂを中心として回動することができる。
【００３０】
図４は、図３に示す駆動部によって、後幕４４が移動する様子を表した模式図である。本実施形態に係るフォーカルプレーンシャッタ２０では、露光動作時において、以下のようなプロセスによって後幕４４を移動させる。
【００３１】
まず、図３に示す後幕係止レバー６８は、カメラボディ４（図１）に備えられたレリーズボタン（不図示）からの信号に基づき、レバー取付軸６８ｂを中心として回動し、当該後幕係止レバー６８と後幕駆動レバー６６との係合を解除する。係止レバー６８との係合が解除された後幕駆動レバー６６は、駆動力発生部６６ａからの駆動力を受けて回動を開始する。後幕駆動レバー６６の先端に連結された第３アーム駆動軸６７は、駆動レバー６６の回動に伴い、後幕駆動軸ガイド孔６０ｃに沿って矢印９０に示す方向に移動を開始する。
【００３２】
図４に示す第３アーム３６には、第３アーム駆動軸孔３６ｂに連結されている第３アーム駆動軸６７を介して、駆動力が伝達される。したがって、第３アーム３６は、第３アーム回転孔３６ａを挿通する第３アーム回動軸５６を中心として、矢印９２で示す方向に回動を開始する。
【００３３】
後幕４４を構成する各シャッタ羽根４４ａ〜４４ｄは、羽根ダボを介して第３アーム３６と連結されているため、第３アーム３６の回動に伴って、Ｙ軸負方向側へ移動する。また、各シャッタ羽根４４ａ〜４４ｄと連結されている第４アーム３８は、各シャッタ羽根４４ａ〜４４ｄを介して伝達される駆動力によって、第４アーム回転孔３８ａを挿通する第４アーム回動軸５８を中心として回動する。
【００３４】
第３アーム駆動軸６７が、図３に示す後幕駆動軸ガイド孔６０ｃの一方の端部から、矢印９０の先端側にある他方の端部まで移動することによって、第３アーム３６、各シャッタ羽根４４ａ〜４４ｄおよび第４アーム３８は、図４において実線で示す位置から、破線で示す位置へ移動する。移動後のシャッタ羽根４４ａ−２〜４４ｄ−２は、基板６０のシャッタ開口６０ａ（図１）を遮蔽し、撮影光を遮光するように展開する。
【００３５】
図３に示すように、先幕駆動軸ガイド孔６０ｂの周辺には、先幕駆動レバー６２と先幕係止レバー６４が配置されている。図２に示す先幕４２は、第１アーム駆動軸６３を介して駆動力を伝達される第１アーム３２によって、後幕４４同様に、Ｙ方向に移動させられる。露光動作時において、先幕４２は、後幕４４と同様に、図１に示す位置からＹ負方向側に移動させられる。これによって、先幕４２を構成する各シャッタ羽根４２ａ〜４２ｄは、図１に示す位置からシャッタ開口６０ａに対してＹ軸正方向側の位置まで退避され、撮影光を遮光しないように折り畳まれる。
【００３６】
上述のように、各シャッタ羽根４２ａ〜４２ｄ，４４ａ〜４４ｄは、主アーム（第１または第３アーム３２，３６）と、従アーム（第２または第４アーム３４，３８）によって支持された状態を保ちながらＹ方向に移動することができる。主アームである第１および第３アーム３２，３６は、各アーム回動軸５２，５６を中心に回動することによって、先幕４２および後幕４４を構成するシャッタ羽根４２ａ〜４２ｄ，４４ａ〜４４ｄを移動させる。また、従アームである第２および第４アーム３４，３８は、シャッタ羽根４２ａ〜４２ｄ，４４ａ〜４４ｄの移動に追従して、各アーム回動軸５４，５８を中心として回動する。
【００３７】
図５は、図２に示すフォーカルプレーンシャッタ２０における各アーム３２〜３８のアーム回転孔（例えば、３２ａ，３４ａ，３８ａ（図７等参照））付近を拡大した斜視図である。なお、第１および第３アーム回動軸５２，５６は、図示を省略している。
【００３８】
図５に示すように、本実施形態に係る第２アーム３４の第２アーム回転孔３４ａには、第２アーム３４が回動する際に、第２アーム回動軸５４に対して第２アーム３４が傾くことを防止する従アーム回動孔カラー７４が取り付けられている。第２アーム回動軸５４は、第２アーム回転孔３４ａと、従アーム回動孔カラー７４とを挿通している。
【００３９】
図６は、従アーム回動孔カラー７４およびその周辺部分を拡大した断面図である。従アーム回動孔カラー７４は、第２アーム回動軸５４を挿通させ、第２アーム回転孔３４ａを挿通する円筒部７４ｂを有している。円筒部７４ｂの内周面７４ａは、第２アーム回動軸５４の外周面５４ａと略一致する形状を有しており、第２アーム回動軸５４の外周面５４ａの少なくとも一部を被覆している。
【００４０】
また、第２アーム回動軸５４に沿った方向における従アーム回動孔カラー７４の長さＬ１は、第２アーム回動軸５４に沿った方向における第２アーム３４の長さＬ２より大きい。長さＬ１および長さＬ２は、フォーカルプレーンシャッタ２０における設計条件等に応じて設定されるが、例えば、第２アーム３４の長さＬ２が０．１〜０．２ｍｍの場合に、従アーム回動孔カラー７４の長さＬ１を１．５ｍｍ〜２．０ｍｍとすることができる。
【００４１】
本実施形態に係る従アーム回動孔カラー７４は、第２アーム回転孔３４ａの縁部をかしめる固定部７４ｃを有している。固定部７４ｃは、第２アーム回転孔３４ａの縁部に沿って、リング状に形成されている。なお、本実施形態に係る従アーム回転孔カラー７４は、金属材料、樹脂材料または複合材料等によって作成することができるが、金属材料によって作成されることが、耐久性および加工精度の面から好ましい。また、従アーム回転孔カラー７４が、アームより比重の大きい金属等の材料によって作成されることによって、第２アーム３４およびカラー７４によって構成させる回動体の重心を、第２アーム回動軸５４近傍に集中させることができる。したがって、従アーム回転孔カラー７４は、第２アーム３４の回動を安定させ、振動を抑制することができる。また、従アーム回動孔カラー７４に振動吸収機能をもたせて、シャッタ羽根４２ａ〜４２ｄの振動を吸収させることとしてもよい。
【００４２】
また、本実施形態に係るフォーカルプレーンシャッタ２０は、図６において破線で示すように、第２アーム回動軸５４に沿った方向における第２アーム３４の移動を制限する制限部９４ａ，９４ｂを有していてもよい。制限部９４ａ，９４ｂは、例えば、従アーム回動孔カラー７４またはアーム回転孔３４を、回動軸５４に沿った方向に挟むように、アーム３４の両側に配置される。また、制限部９４ａ，９４ｂは、回動軸５４によって挿通されるリング状の形状を有していても良く、また、基板６０又は回動軸５４等と一体に形成されていても良い。しかし、本実施形態に係る制限部９４ａ，９４ｂは、従アーム回転孔カラー７４が、第２アーム回動軸５４を中心として回動することは、妨げない。
【００４３】
図５に示すように、第４アーム３８の第４アーム回転孔３８ａ（図７参照）には、第２アーム３４と同様に、従アーム回動孔カラー７８が取り付けられている。図７は、第４アーム回転孔３８ａに取り付けられている従アーム回転孔カラー７８およびその周辺部分を拡大した断面図である。
【００４４】
本実施形態において、第２アーム３４に取り付けられている従アーム回動孔カラー７４（図６）と、第４アーム３８に取り付けられている従アーム回動孔カラー７８とは、同一の形状を有している。しかしながら、第４アーム３８に取り付けられている従アーム回動孔カラー７８は、第２アーム３４に取り付けられている従アーム回動孔カラー７４に対して、回動軸５４，５８に挿入されている向きが互いに逆方向である。
【００４５】
なお、図７に示す従アーム回動孔カラー７８は、第２アーム３４に取り付けられている従アーム回動孔カラー７４（図６）と同様に、円筒部７８ｂおよび固定部７８ｃを有している。また、従アーム回動孔カラー７８の長さＬ３と、第４アーム３８の長さＬ４の関係も、図６に示す従アーム回動孔カラー７４の長さＬ１と、第２アーム３４の長さＬ２の関係と同様である。また、第４アーム回動軸５８には、第２アーム回動軸５４と同様に、第４アーム回動軸５８に沿った方向における第４アーム３８の移動を制限する制限部９８ａ，９８ｂが備えられていても良い。
【００４６】
本実施形態に係るフォーカルプレーンシャッタ２０は、図５に示すように、第２および第４アーム３４，３８が回動する際に、第２および第４アーム回動軸５４，５８に対して第２および第４アーム３４，３８が傾くことを防止する従アーム回動孔カラー７４，７８を有する。従アーム回動孔カラー７４，７８は、第２および第４アーム３４，３８に固定されており、従アームが回動する際に、第２および第４アーム回動軸５４，５８と回動体（アーム３４，３８およびアーム回動孔カラー７４，７８）との接触範囲を拡大させる。これにより、従アーム回動孔カラー７４，７８は、第２および第４アーム３４，３８の回動を安定させる。
【００４７】
すなわち、従アーム回動孔カラー７４，７８を有する係るフォーカルプレーンシャッタ２０は、従アーム回動軸５４，５８に対して第２および第４アーム３４，３８が傾くことが防止され、回動中におけるアーム３４，３８および当該アーム３４，３８が連結されているシャッタ羽根４２ａ〜４２ｄ，４４ａ〜４４ｄの振動が抑制される。したがって、本実施形態に係るフォーカルプレーンシャッタ２０を備える撮影装置によれば、シャッタ羽根４２ａ〜４２ｄ，４４ａ〜４４ｄの振動による露光ムラの発生が抑制される。
【００４８】
また、本実施形態に係る第２および第４アーム３４，３８は、第２および第４アーム回動軸５４，５８を挿通させる第２および第４アーム回転孔３４ａ，３８ａを有し、従アーム回動孔カラー７４，７８は、第２および第４アーム回転孔３４ａ，３８ａに固定されている。第２および第４アーム回動軸５４，５８が、従アーム回動孔カラー７４，７８が取り付けられているアーム３４，３８を挿通しているため、回動軸５４，５８は、アーム３４，３８の回動を安定して支持することができる。すなわち、第２および第４アーム３４，３８が回動する際に、第２および第４アーム回動軸５４，５８における一点に負荷が集中することが防止され、特に回動軸５４，５８の先端付近に負荷が集中することが防止される。
【００４９】
また、従アーム回動孔カラー７４，７８は、円筒部７４ｂ，７８ｂを有するため、円柱状の回動軸５４，５８と回動体（アーム３４，３８およびアーム回動孔カラー７４，７８）との接触範囲を、特にアーム回動軸５４，５８に沿った方向に拡大させる。これにより、従アーム回動孔カラー７４，７８は、第２および第４アーム回動軸５４，５８に対して第２および第４アーム３４，３８が傾くことを効果的に防止することができる。したがって、従アーム回動孔カラー７４，７８は、アーム３４，３８および当該アーム３４，３８が連結されているシャッタ羽根４２ａ〜４２ｄ，４４ａ〜４４ｄの振動や倒れを効果的に抑制することができる。また、従アーム回動孔カラー７４，７８の円筒部７４ｂ，７８ｂは、第２および第４回動軸５４，５８の周面の少なくとも一部を被覆しているため、アーム３４，３８の回動を安定化させ、アーム３４，３８およびシャッタ羽根４２ａ〜４２ｄ，４４ａ〜４４ｄの振動を抑制することができる。
【００５０】
また、本実施形態に係るフォーカルプレーンシャッタ２０において、アーム回動軸５４，５８に沿った方向における従アーム回動孔カラー７４，７８の長さＬ１，Ｌ３は、アーム回動軸５４，５８に沿った方向におけるアーム３４，３８の長さＬ２，Ｌ４より大きい。したがって、従アーム回動孔カラー７４，７８は、アーム３４．４８が回動する際に、アーム回動軸５４，５８と線接触（図６，７の断面上において線接触している）もしくは面接触しやすい。このため、本実施形態に係るフォーカルプレーンシャッタ２０は、アーム３４，３８およびシャッタ羽根４２ａ〜４２ｄ，４４ａ〜４４ｄの振動を抑制することができる。
【００５１】
また、本実施形態に係るフォーカルプレーンシャッタ２０は、アーム回動軸５４，５８に沿った方向における第２および第４アーム３４，３８の移動を制限する制限部９４ａ，９４ｂ，９８ａ，９８ｂを有していてもよい。制限部９４ａ，９４ｂ，９８ａ，９８ｂは、アーム３４，３８が回動する際に、第２および第４アーム回動軸５４，５８に対して第２および第４アーム３４，３８が傾くことを防止することができる。したがって、制限部９４ａ，９４ｂ，９８ａ，９８ｂを有するフォーカルプレーンシャッタは、アーム３４，３８およびシャッタ羽根４２ａ〜４２ｄ，４４ａ〜４４ｄの振動を、より効果的に抑制することができる。
【００５２】
また、本実施形態に係るフォーカルプレーンシャッタ２０は、第２アーム回転孔３４ａの縁部に固定された従アーム回動孔カラー７４（図６）と、第４アーム回転孔３８ａの縁部に固定された従アーム回動孔カラー７８（図７）とが、略同一の形状を有している。さらに、第２アーム３４と第４アーム３８の形状を略同一とし、各アーム３４，３８の回転孔３４ａ，３８ａが、回動軸５４，５８へ、互いに反対向きなるように挿入されている（図５）。これによって、従アーム回動孔カラー７４，７８およびアーム３４，３８等の部品を共通化させることができる。したがって、本実施形態に係るフォーカルプレーンシャッタ２０は、部品点数を減少させ、シャッタの組み立て工程を合理化することができる。
【００５３】
なお、図５に示すように、第１および第３アーム３２，３６に主アーム回動孔カラー７２，７６が取り付けられていても良く、主アーム回動孔カラー７２，７６は、従アーム回動孔カラー７４，７８と同一の形状を有していてもよい。
その他の実施形態
【００５４】
図６および図７等に示す第１実施形態に係るフォーカルプレーンシャッタ２０では、各従アーム３４，４８に、従アーム回動孔カラー７４，７８が取り付けられているが、アーム回動軸５４，５８に対してアーム３４，３８が傾くことを防止する防止部材としては、これに限定されない。たとえば、各アーム３４，４８に、従アーム回動孔カラー７４，７８が取り付けられておらず、制限部９４ａ，９４ｂ，９８ａ，９８ｂが、アーム３４，４８を回動軸５４，５８に沿った方向に挟み込むように配置されていてもよい。この場合、制限部９４ａ，９４ｂ，９８ａ，９８ｂが、アーム３４，３８と接触することによって、回動中にアーム３４，４８が傾くことを防止する。
【図面の簡単な説明】
【００５５】
【図１】図１は、本発明の一実施形態にかかるフォーカルプレーンシャッタを搭載したカメラの概略断面図である。
【図２】図２は、本発明の一実施形態に係るフォーカルプレーンシャッタにおけるシャッタ羽根を示す平面図である。
【図３】図３は、本発明の一実施形態に係るフォーカルプレーンシャッタにおける駆動部を示す平面図である。
【図４】図４は、図２に示すフォーカルプレーンシャッタにおける後幕の動きを表す模式図である。
【図５】図５は、図２に示すフォーカルプレーンシャッタにおけるアーム回転孔部分を拡大した要部斜視図である。
【図６】図６は、図５に示す第２アームの回動軸部分の拡大断面図である。
【図７】図７は、図５に示す第４アームの回動軸部分の拡大断面図である。
【符号の説明】
【００５６】
２…  カメラ
２０…  フォーカルプレーンシャッタ
３２…  第１アーム
３４…  第２アーム
３４ａ…  第２アーム回転孔
３６…  第３アーム
３８…  第４アーム
３８ａ…  第４アーム回転孔
４２ａ〜４２ｄ，４４ａ〜４４ｄ…シャッタ羽根
５４…  第２アーム回動軸
５８…  第４アーム回動軸
６０…  基板
７４，７８…  従アーム回動孔カラー
７４ｂ，７８ｂ…  円筒部
７４ｃ，７８ｃ…  固定部
９４ａ，９４ｂ，９８ａ，９８ｂ…  制限部材
【図１】
2010091619.tif 000003
【図２】
2010091619.tif 000004
【図３】
2010091619.tif 000005
【図４】
2010091619.tif 000006
【図５】
2010091619.tif 000007
【図６】
2010091619.tif 000008
【図７】
2010091619.tif 000009